【事件の表示】
　特願２０００−３５０６８７「マルチドメイン液晶表示素子」拒絶査定不服審判事件〔平成１３年　７月２７日出願公開、特開２００１−２０１７４９〕について、次のとおり審決する。
【結　論】
　本件審判の請求は、成り立たない。
【理　由】
　
１．手続の経緯・本願発明
　
　本願は、平成１２年１１月１７日（パリ条約による優先権主張２０００年１月１４日、韓国）の出願であって、その請求項に係る発明は、平成１９年５月１８日付けの手続補正がなされた明細書及び図面の記載からみて、特許請求の範囲の請求項１〜３に記載された事項によって特定されるものであるところ、請求項１に係る発明は次のものである。 
　
 「【請求項１】 
　画素電極が形成された第１基板及び該第１基板に対向する第２基板と、
　前記第１基板と第２基板との間に形成された液晶層と、
　前記画素電極及びその周辺部を含む画素領域の外周並びに該画素領域を２以上のドメインに分割する分割線に沿って延びて、それぞれの前記ドメインを囲むように配置され、前記液晶層の高さよりも低い所定の高さを有する第１の誘電体構造物と、
　それぞれの前記ドメイン毎に、該ドメインの概ね中心部に配置される第２の誘電体構造物とを有して構成され、
　前記第１の誘電体構造物及び前記第２の誘電体構造物は、前記第２の基板上に形成され、
　前記第１の誘電体構造物及び前記第２の誘電体構造物は、ブラック樹脂から形成されることを特徴とするマルチドメイン液晶表示素子。」（以下、「本願発明」という。） 
　
２．引用例記載の発明  
　
　これに対して、当審における、平成１９年１月２４日付けで通知した拒絶の理由に引用した本願の優先権主張の日前の平成８年１１月５日に頒布された刊行物である特開平８−２９２４２３号公報（以下、「引用例」という。）には、以下の事項が図面とともに記載されている。
　
（１）「【００５１】（実施例１）図１は、本発明の一実施例である液晶表示素子の１絵素分を示す断面図である。図１において、ガラスなどからなる一方の透明基板１上にインジウム・スズ酸化物（ＩＴＯ）などからなる絵素電極３が設けられている。この絵素電極３の中央部にレジストなどからなる凸部４が設けられ、各絵素を囲むようにレジストなどからなる第１の壁５が設けられている。また、ガラスなどからなる他方の透明基板２上にもＩＴＯなどからなる対向電極６が設けられている。
【００５２】これら透明基板１、２の間には、図２に示すような高分子壁７により囲まれた液晶領域８が各絵素に対応してそれぞれ形成されている。これら各液晶領域８（絵素内）において、液晶分子は、凸部４近傍を基板に垂直な軸として放射状に配向しており、均一な配向状態となっている。」、
　
（２）「【００５７】また、図３に示すように、長方形の絵素１３を有する液晶表示素子の場合、液晶分子が軸対称状に配列しているドメイン１４が２個以上集まった液晶領域８とすることができる。このような液晶表示素子においても、図２のように液晶領域８がモノドメインである液晶表示素子と同様に視角特性を優れたものにできる。この場合、高分子壁７または第１の壁５を長方形の絵素１３内に形成して絵素を分断することもできる。」、
　
（３）「【００６３】(1)相分離時に絵素内で対称軸となる領域のセルギャップが薄い場合（凸部が形成されている場合）：重合反応または温度降下により液晶と硬化性樹脂（または高分子）とを相分離させる場合、図１に示すように基板１上に凸部４が存在すると、その凸部４が析出核の働きをして凸部付近を取り囲むように液晶領域８が発達する。よって、基板に垂直な軸に対して放射状または同心円状に液晶分子が配向して軸対称状の配向が得られると共に、対称軸と凸部４とを一致させることができる。よって、この凸部４の形成位置により、液晶分子の配向の対称軸位置を制御することができ、絵素内で液晶分子を軸対称状に配向させることができる。
【００６４】この凸部４の高さはセルギャップの１／２以下であり、かつ、液晶領域８を囲うように絵素１３周辺に設ける第１の壁５よりも低くするのが望ましい。この凸部４が高すぎると凸部４上に高分子柱が形成され、この高分子柱が大きい場合には配向状態を乱すこともある。
【００６５】また、この凸部４の大きさは、液晶析出の核となる程度であればよい。小さいほど好ましく、例えば３０μｍ以下であるのが好ましい。凸部４が大きすぎると凸部４上に高分子柱が形成されて電圧降下を起こし、コントラスト低下の原因となる。
【００６６】さらに、この凸部４の材質は、本発明では特に限定しないが、レジストなどの有機材料やＳｉＯ２、Ａｌ２Ｏ３、ＩＴＯなどの無機材料を使用することができる。レジスト材料を用いると、凸部４の形成を簡単に行うことができる。また、透明導電膜であるＩＴＯは、図４（ａ）および（ｂ）に示すように、凸部４を有する基板１上にＩＴＯ膜からなる絵素電極３を形成することにより凸部とすることができる。さらに、図５に示すように、凸部４を有する基板１上に配向膜１６を形成して配向膜を凸部としてもよい。また、このような凸部（凸部４および絵素電極、配向膜などの凸部）を液晶分子配向の対称軸の中心にするためには、垂直配向性を有する材料を使用するのが望ましい。このような材料としては、例えばＦまたはＳｉ系添加剤を加えたレジスト材料を用いることができ、特に表面自由エネルギーが３５ｍＮ／ｍ以下であるものが望ましい。さらに、絵素周辺に形成する第１の壁５と上記凸部とを異なる材料により形成すると、配向安定性を増す場合がある。
【００６７】この凸部４の形状は、本発明では特に限定しないが、円形、方形、長方形、楕円形、星形、十字型などとすることができる。また、この凸部４は、垂直方向に同一な形状である必要はなく、図６に示すように傾斜を有するものであってもよい。」、
　
（４）「【００７７】(5)対向基板側にカラーフィルターを含む場合
凹部または凸部を形成した基板の対向側に絵素に対応した複数のカラーフィルター部を有するカラーフィルターを含む場合、このカラーフィルター部との間隙は、凹部となっているので、液晶と高分子材料（または硬化性樹脂）の相分離時に、セル厚の厚い部分に液晶が析出するために、液晶滴内の液晶分子の配向が、この凹部で乱されて軸対称になりにくい。この部分をレジスト樹脂で埋めてカラーフィルター部間を平坦化することによって、液晶と高分子材料（または硬化性樹脂）の相分離時に、液晶滴内の液晶分子の配向を乱す原因を排除することができ、液晶の出現場所をカラーフィルター部の対向側の上記凹部または凸部に限定することが可能となる。
【００７８】(6)対向基板側にアクティブ駆動素子を含む場合
この平坦化された電極基板に、例えばアクティブ駆動素子を含む場合には、このアクティブ駆動素子およびアクティブ駆動素子の配線部分が多重積層されて段部が付いており、液晶滴内の液晶分子の配向が、この段部で乱されて軸対称になりにくいが、この段部を樹脂で埋めて平坦化することによって、液晶の出現場所を上記凹部または凸部に限定することが可能となる。」、
　
（５）「【０１１６】（具体例１）図１１に示すように、ガラス基板（１．１ｍｍ厚み）１、２上にＩＴＯ（酸化インジュウムおよび酸化スズの混合物、５００オングストローム）からなる透明電極３、６が形成された基板を用い、一方の基板１上に、レジスト材料（ＯＭＲ８３：東京応化社製）を用いて絵素中央部に凸部４を、絵素周辺部に第１の壁５を形成した。この時、レジスト下にはＭｏ薄膜による遮光層を設けて第１基板とした。
【０１１７】また、他方の基板２上にＡＬ４５５２（日本合成ゴム社製）を塗布し、ラビング処理を行わずに配向膜１７を形成して第２基板とした。
【０１１８】この両基板を、６μｍのスペーサーによりセル厚を保たせて貼り合わせ、セルを作製した。」、
　
（６）「【０１３８】（具体例５）この具体例５では、図１９に示すような長絵素１３に対して、絵素を分割して黒色レジスト（ＣＦＰＲ−ＢＫ５１０Ｓ：東京応化社製）を用いて第１の壁２１ａおよび凸部２１ｂを形成した基板１を用いた以外は具体例１と同様に液晶表示素子を作製した。」
　
（７）上記（２）、（５）、（６）、図３、図１１及び図１９の記載から、第１の壁（５、２１ａ）はセルギャップよりも低い所定の高さであること、第１の壁（２１ａ）は、長方形の長絵素１３の外周並びに該長絵素を２つのドメインに分割する分割線に沿って延びて、それぞれの前記ドメインを囲むように配置されていること、及び、凸部２１ｂが各ドメインの概ね中心部に配置されていることが見てとれる。
　
（８）上記（１）及び図１の記載から、第１の壁５は絵素電極３及びその周辺部を含む絵素の外周を囲むように配置されていて、一対の電極基板１，２のうち凸部と同じ側の基板１に形成されていることが見て取れる。
　
　上記記載から、引用例には 
 「透明電極が設けられている一対の電極基板１，２の間に高分子壁７により囲まれた液晶領域８が各絵素に対応してそれぞれ形成されていて、該液晶領域８内に液晶が配置されている長方形の絵素１３を有する液晶表示素子において、絵素電極３及びその周辺部を含む該長絵素１３の外周並びに該長絵素を２つのドメインに分割する分割線に沿って延びる壁であって、セルギャップよりも低い所定の高さの第１の壁（２１ａ）及び各ドメインの概ね中心部に配置されている凸部（２１ｂ）を有していて、前記第１の壁及び前記凸部は同じ基板１に形成され、前記第１の壁及び前記凸部は黒レジストを用いて形成され、凸部を形成した基板１の対向側の対向基板２側に、絵素に対応した複数のカラーフィルター部を有するカラーフィルターを含み、該カラーフィルター部間を平坦化するとともに、この平坦化された電極基板である対向基板２側にアクティブ駆動素子及びアクティブ駆動素子の配線を設けるようにした場合に、多重積層された前記配線部分の段差を平坦化するようにした液晶表示素子」の発明（以下、「引用発明」という。）が記載されているものと認められる。 
　
３．対比・判断  
　
　引用発明と本願発明とを対比する。
　
（１）アクティブマトリックス液晶表示素子において画素電極はアクティブ駆動素子が設けられた基板に形成されているものであるから、対向基板側にアクティブ駆動素子及びアクティブ駆動素子の配線を設けるようにした場合である上記引用発明においては、画素電極が形成されている基板は、一対の電極基板１，２のうち凸部を形成した基板１の対向側の対向基板２であることは当業者に自明である。よって、引用発明の「対向基板２」が本願発明の「画素電極が形成された第１基板」に相当し、引用発明の「電極基板１」が本願発明の「第１基板に対向する第２基板」に相当する。
　
（２）引用発明の「第１の壁」及び「凸部」は、誘電体といえる「黒レジスト」を用いて形成されているから、本願発明の「第１の誘電体構造物」及び「第２の誘電体構造物」に相当する。
　
（３）引用発明の「絵素」、「絵素電極」、「液晶」、「絵素電極３及びその周辺部を含む該長絵素１３」、「ドメイン」及び「黒レジスト」は、それぞれ、本願発明の「画素領域」、「画素電極」、「液晶層」、「前記画素電極及びその周辺部を含む画素領域」、「ドメイン」及び「ブラック樹脂」に相当する。
　
（４）「２つ」は「２以上」に該当するから、引用発明の「２つのドメイン」と本願発明の「２以上のドメイン」とは「２つのドメイン」の点で一致している。
　
（５）引用発明の液晶表示素子の各長方形の絵素（長絵素）１３は２つのドメインに分割されているから「マルチドメイン」である。よって、引用発明の「液晶表示素子」は、本願発明の「マルチドメイン液晶表示素子」に相当する。
　
　したがって、本願発明と引用発明とは「画素電極が形成された第１基板及び該第１基板に対向する第２基板と、前記第１基板と第２基板との間に形成された液晶層と、前記画素電極及びその周辺部を含む画素領域の外周並びに該画素領域を２つのドメインに分割する分割線に沿って延びて、それぞれの前記ドメインを囲むように配置され、前記液晶層の高さよりも低い所定の高さを有する第１の誘電体構造物と、それぞれの前記ドメイン毎に、該ドメインの概ね中心部に配置される第２の誘電体構造物とを有して構成され、前記第１の誘電体構造物及び前記第２の誘電体構造物は、前記第２の基板上に形成され、前記第１の誘電体構造物及び前記第２の誘電体構造物は、ブラック樹脂から形成されることを特徴とするマルチドメイン液晶表示素子」の点で一致しているから、両発明は同一の発明である。
　
４．むすび  
 　以上のとおり、本願発明は、上記引用例に記載された発明であるから、特許法２９条１項３号に該当し、特許を受けることができない。  
　よって、結論のとおり審決する。